(57)【特許請求の範囲】
【請求項１】
ＰＣカードを装着可能なコネクタと、前記ＰＣカードの信号を、システムバスの信号、あるいは、トランスポートデコーダのトランスポートストリーム信号、のいずれかの接続に選択的に切り替えるバススイッチの手段を備え、
前記接続を前記トランスポートストリーム信号に切り替える場合に、前記ＰＣカードのＩ２ＣバスとＣＰＵバスも同時に接続されることを特徴とするバス制御装置。
【請求項２】
ＰＣカードを装着可能なコネクタと、前記ＰＣカードの信号を、システムバスの信号、あるいは、トランスポートデコーダのトランスポートストリーム信号、のいずれかの接続に選択的に切り替えるバススイッチの手段を備え、
前記トランスポートデコーダは２つのトランスポートの入力が可能なものであって、複数のトランスポートストリームの信号出力を備えた前記ＰＣカードが挿入された場合に、接続を前記トランスポートストリーム信号に切り替える場合に、前記ＰＣカードの複数のトランスポート出力信号を、前記トランスポートデコーダの複数のトランスポートストリームの信号の入力に接続されることを特徴とするバス制御装置。
【請求項３】
ＰＣカードを装着可能なコネクタと、前記ＰＣカードの信号を、システムバスの信号、あるいは、トランスポートデコーダのトランスポートストリーム信号、のいずれかの接続に選択的に切り替えるバススイッチの手段を備え、
外部バスへの接続手段を有し、ＣＰＵからの制御信号により映像、音声の信号を前記外部バスに供給することを特徴とするバス制御装置。
【請求項４】
請求項３に記載のバス制御装置において、複数のトランスポートストリームの信号出力を有する前記ＰＣカードが挿入された場合に、その出力を一方は内部のトランスポートストリームデコーダに、もう一方は前記外部バスに接続し、また、その接続形式を柔軟に変更することができることを特徴とするバス制御装置。
【請求項５】
ＰＣカードを装着可能なコネクタと、前記ＰＣカードの信号を、システムバスの信号、あるいは、トランスポートデコーダのトランスポートストリーム信号、のいずれかの接続に選択的に切り替えるバススイッチの手段を備え、
前記コネクタを複数個備え、複数の前記コネクタの一つからの入力信号を、前記システムバスの信号、あるいは、前記トランスポートデコーダの前記トランスポートストリーム信号に接続出来る手段を備えたことを特徴とするバス制御装置。
【発明の詳細な説明】
【０００１】
【発明の属する技術分野】
本発明は、カードが接続可能なシステムにおいて、トランスポートストリーム信号を出力する機能を備えたカードを挿入した際に、カードのバスと本体のＣＰＵバスの接続との切り替えに関する。
【０００２】
【従来の技術】
外付けのカードにより、本体の機能を拡張する方法としてＰＣＭＣＩＡ規格がある。この規格のカードのインターフェースは、コンピュータのバスの仕様であるＩＳＡ、あるいはＰＣＩバスを踏襲しており、ＣＰＵバスと接続し易い構成となっている。
【０００３】
近年、映像、音声を扱うことの出来るＰＣカードが出現しており、ＰＣカードとの接続で、映像、音声のデータを高速に処理する必要性が生じる場合がある。しかし、映像、音声データをＰＣＭＣＩＡのバスを経由して、デコーダチップに転送しようとした場合、バスによるオーバーヘッドが存在した。
【０００４】
こうした欠点を改善する方法として、特開平１０−１１６０６４のＺＶポートが存在する。ＺＶポートは、ＰＣカードから受け取った映像、音声、のデータをシステムバスを経由せず、直接に映像・音声のデコーダに転送する方法である。
【０００５】
ＺＶポートでは、ＺＶポートが挿入されると、ＰＣカードの制御をＺＶポートのモードに切り替え、映像・音声のデータをシステムバスに送らず、映像・音声のデコーダに直接転送するようにする。
【０００６】
その場合の、バスの信号線は、いくつかが、映像、音声用の信号線として割り当てられ、その信号線は、デコーダのＺＶポート専用に設けられた映像・音声の入力に接続される。
【０００７】
ＺＶポートでは、ＰＣカード側とデコーダチップ側の両方にＺＶポートとしての対応が必要であり、汎用のチップが使用出来ない問題がある。又、映像信号はＹＵＶ形式の信号であり、トランスポートストリームの形式ではなかった。
【０００８】
又、ＰＣカードにおけるバスの転送方法として、特開２００１−２１６２５８の例がある。この考案も、ＰＣＩバスにチューナカードを装着した際に、ＡＶストリームデータを、ＰＣＩバスの転送モードから、ＡＶストリームを転送するのに適した転送モードに切り替えて、ＰＣカードからのデータを映像・音声デコーダに転送するものである。
【０００９】
【発明が解決しようとする課題】
ＰＣＩバスにチューナカードを装着した際に、ＡＶストリームデータを、ＰＣＩバスの転送モードから、ＡＶストリームを転送するのに適した転送モードに切り替えて、ＰＣカードからのデータを映像・音声デコーダに転送する技術では、システムのバスの信号線を切り替えて、ＡＶストリームの転送し易い信号に切り替えて使用する為、ＡＶストリームの転送中は、システムバスは使用中となり、他のシステムバスに接続するデバイスが使用出来なくなる。
【００１０】
又、ＰＣカードとして、デジタル放送用のチューナを使用した場合には、復調ＩＣの出力形式はトランスポートストリームの形式であることが多い。映像・音声デコーダの入力形式も同様である。その為、復調ＩＣの出力を一旦、システムバスに載せられる形式に変換してから、バスに出力し、デコーダ側では、それをトランスポートストリームの形式に変換し直すといった手間が生じる。
【００１１】
ＺＶポートの方法も同様であり、その転送方法は、トランスポートの転送の形式では無い為、変換が必要である。ＺＶポート形式では、１６ビット幅のＹＵＶ形式のビデオ信号である（８ビットの輝度データＹおよび８ビットの色差データＵＶ）。
【００１２】
ＺＶポートを用いＰＣカードから受け取った映像、音声、のデータをシステムバスを経由せず、直接に映像・音声のデコーダに転送する従来技術では、ＰＣカードからのビデオ信号はＹＵＶ形式で、ビデオコントローラに入力されている。このシステムの場合、ＰＣカードがデジタル放送用のテストストリーム形式の信号は想定されていなかった。
【００１３】
デジタル放送対応の受信機においては、チューナからのテストストリームがＭＰＥＧ２デコーダに入力され、デコードされたビデオ信号が、ビデオコントローラに入力され映像が再生される。
【００１４】
また、ＺＶポートを用いＰＣカードから受け取った映像、音声、のデータをシステムバスを経由せず、直接に映像・音声のデコーダに転送する従来技術においては、ＰＣカードのチューナからのテストストリームをＭＰＥＧ２デコーダへ直接入力させる手段は備えていない。
【００１５】
又、ＺＶポートに対応する場合には、ＰＣカード側とデコーダチップの両方でＺＶポートの対応を行う必要があり、対応したチップを使用しなくてはいけない。
【００１６】
デジタル放送用のＰＣカードを使用した場合の制御の方法については、通常、チューナや復調ＩＣの制御はＩ２Ｃバスで行われることが多く、ＣＰＵ側も、Ｉ２Ｃのインターフェイスを備えている場合が多い。
【００１７】
その為、チューナカードを制御する場合、ＰＣＭＣＩＡ経由でアクセスするより、ＣＰＵからＩ２Ｃバスで直接、チューナ、復調ＩＣを、制御した方が効率が良い。
【００１８】
ＺＶポートにおいては、ＰＣカード内にチューナが存在した際に、チューナを制御する際には、Ｉ２Ｃバスでの直接の制御が出来ず、ＰＣカードコントローラ経由で、ＰＣＭＣＩＡバスを通じて制御する必要がある。
【００１９】
ＰＣカード内では、ＰＣＭＣＩＡのバスによるアクセスをＩ２Ｃバスに変換するバス変換の機能が必要となる。
【００２０】
【課題を解決するための手段】
上述の課題を解決するため、本発明は、ＰＣカードを装着可能なコネクタと、ＰＣカードの信号を、本体のシステムバスの信号、あるいは、トランスポートデコーダのトランスポートストリーム信号、のいずれかの接続に選択的に切り替えるバススイッチの手段を、接続をトランスポートストリーム信号に切り替える場合に、ＰＣカードのＩ２Ｃバスと本体のＣＰＵバスも同時に接続されるバス制御装置を提案する。
【００２１】
【発明の実施の形態】
本発明の一実施形態を図面を参照して説明する。
【００２２】
図１は、本実施形態に係るバスの切り替え方法の手段を示すブロック図である。
図において、１は装置本体。４はＰＣカードを接続する為のコネクタ。５は本体装置を制御するＣＰＵ。ＣＰＵは９のＲＯＭ記録されているプログラムに従って処理を行う。
【００２３】
１０のＲＡＭはＣＰＵが処理をする為に必要とするメモリ。６はＰＣカードを制御する為のＰＣカードコントローラ。１２のシステムバスにより、各デバイスが接続される。
【００２４】
８は、ＭＰＥＧ等の映像・音声ストリームをデコードする為の、トランスポートデコーダ。７は１１のカードとの信号を、１３のＰＣカードコントローラへのバスと１６のＩ２Ｃバス、あるいは、１４のトランスポートストリーム信号と、接続を切り替える為のバススイッチ。
【００２５】
１５はそのバススイッチを制御する為の制御信号。２はメモリーの増設を行う為のメモリーカード、３はチューナカードである。
【００２６】
以下に、具体的にチューナカードを挿した際に、バスを切り替える方法について説明する。
【００２７】
電源投入時、及びシステムリセット時には、７のバススイッチは１１のカードとの信号と１３のＰＣカードコントローラのバスを接続した状態にある。図２にその接続した状態を示す。
【００２８】
図２の信号線にＰＣカードの主な信号線を示したが、この信号がＰＣカードコントローラに繋がっている。信号は、アドレス線（Ａ０−Ａ２５）、データ線（Ｄ０−Ｄ１５）、その他の制御線より構成されている。
【００２９】
これらの信号は、ＰＣカードコントローラを介して、システムバスに繋がっている。
【００３０】
ＩＣカードが挿入されると、ＰＣＭＣＩＡの規格の動作に従い、所定のピンの状態により、カードの挿入を検出し、ＣＰＵは、ＰＣカードのＣＩＳ（ＣａｒｄＩｎｆｏｒｍａｔｉｏｎ  Ｓｔｒｕｃｔｕｒｅ）情報を読み出し、ＰＣカードの種別を判別する。判別はＩＣカードに記録されたＣＩＳ情報を読み出すことにより判別する。
【００３１】
ＩＣカードである場合には、バススイッチの接続はそのままの状態で使用される。
次にチューナカードが挿入された場合について説明する。
【００３２】
チューナカードが挿入された場合も同様にして、ＣＩＳによりそのカードがチューナカードであることを判別する。チューナカードの場合、判別方法については、ＣＩＳによる判別方法の他に、チューナカードはＰＣＭＣＩＡのインターフェースでは無く、後述するトランスポートを転送するのに適したインターフェース（以下ＴＳモードと略す）のみを備えており、そのカードの判別は、カードの形状により判別することも可能である。
【００３３】
尚、カードの形状による判別方法としては、カードの側面に凹凸を設け、本体側でそれを検出する方法等がある。この方法にすれば、チューナカードには、ＰＣＭＣＩＡのインターフェイスの機能を削除することが出来、回路を簡単にすることが出来る。
【００３４】
ＴＳモードを備えたカードと判定した場合、ＰＣカードのモードをＰＣＭＣＩＡモードからＴＳモードに切り替える。（ＴＳモードのみのカードの場合は切り替える必要は無い。）切り替えの方法としては、ＰＣカード側のコントローラ内部に設けられたレジスタの設定により切り替える方法がある。チューナカードでは、ＣＰＵよりあるレジスタのビットが変更された際に、バスの動作モードを切り替える。ＰＣカードの信号線に、トランスポート出力の信号線を割り当てる。
【００３５】
次に、ＣＰＵは、１５の制御信号により、バススイッチを切り替え、１１のＰＣカードの信号を、１３のＰＣカードインターフェースから、１４のトランスポートストリーム信号と１６のＩ２Ｃバスへの接続へと切り替える。
【００３６】
図３に切り替えた後のバスの接続を示す。トランスポートストリームの信号は、クロック（ＴＳ＿ＣＬＫ）、パケットの先頭を示す同期信号（ＴＳ＿ＰＳＹＮＣ）、データの有効期間を示す信号（ＴＳ＿ＶＡＬＩＤ）、データ信号（Ｄ０−Ｄ７）、パケットがリードソロモンで訂正出来なかった場合を示す信号（ＴＳ＿ＥＲＲＯＲ）、より構成される。
【００３７】
又、同時にＣＰＵからのＩ２Ｃバス信号（Ｉ２Ｃ＿ＣＬＫ，Ｉ２ＣＤＡＴＡ）も接続される。これらの信号は、ＰＣＭＣＩＡのインターフェイス信号のいずれかの信号に割り当てられる。
【００３８】
信号の割り当て以後は、チューナカードの選局の制御等はＩ２Ｃ経由で行え、選局された後のトランスポートストリームの出力信号は、トランスポートデコーダのＴＳ入力部に直接転送される。
【００３９】
バスの転送の様子を、ＰＣカードで転送する場合とＴＳモードで転送する場合とで比較したのが、図８、図９である。
【００４０】
図８はＣＰＵがＰＣＭＣＩＡのモードでＰＣカードからデータを読み出す場合のシステムバスのタイミング図を示している。データはシステムが供給するクロックに同期してＰＣカードがデータを送出する（ＣＡＤ信号）。ＣＦＲＡＭＥはＣＰＵがバスサイクルを開始したことを示す信号。
【００４１】
ＣＤＥＶＳＥＬはＰＣカード側のバスサイクルに対する応答の信号。ＣＡＤはアドレスバスとデータバスが共有される信号。ＣＣＢＥはアドレスフェーズの場合には、バスコマンドを、データフェーズの場合には、有効バイトレーンを示す信号。
【００４２】
データ転送のタイミングは、ＣＰＵ側が出力するＣＩＲＤＹ信号と、ＰＣカード側が出力するＣＴＲＤＹより制御される。
【００４３】
このように、各種制御信号によりデータはタイミングが調整され、転送される。
チューナカードをＴＳモードで使用した場合のタイミング図が図９である。信号は全てチューナカードから送出され、ＴＳ＿ＣＬＫはクロック信号、ＴＳ＿ＳＹＮＣはパケットの先頭を示す信号、ＴＳ＿ＶＡＬＩＤはデータの有効期間を示す信号、ＴＳ＿Ｄ０〜ＴＳ＿Ｄ７は８ビット幅のデータ信号である。
【００４４】
このように、チューナカードからの信号は、受信した放送のデータレートに従ったレートで転送され、ＣＰＵからの制御信号は必要ない。
【００４５】
パケット単位でデータが送られるので、デコーダが処理しやすい形式である。チューナの復調ＩＣの出力や、デコーダの入力は、この形式が一般的であり、直接接続し易いものとなっている。
【００４６】
ＴＳモードでは、Ｉ２Ｃバスもチューナカード側と、ＣＰＵ側のバスが接続されるので、ＣＰＵから直接Ｉ２Ｃバスで、チューナカードの復調ＩＣ、チューナモジュール、の制御が出来る。
【００４７】
チューナカードが抜かれた場合には、ＰＣＭＣＩＡのカード検出用の信号により、抜かれたことを検出し、バススイッチを切り替え、図２の状態に戻す。
【００４８】
本実施の形態では、トランスポートストリームとしてデータ線が８本の場合のパラレル信号の場合を説明したが、デコーダがトランスポートストリームのシリアル入力の機能を備えている場合には、データ線が一本のシリアルで転送する方法も、同様にして実現される。
【００４９】
又、カードチューナが２つのチューナを備えており、２つのトランスポート出力が可能な場合で、デコーダが２つのトランスポート入力を備えていた場合、図３の信号線にもう一つのトランスポート信号を割り当てることにより、２チューナ分のデータを同時に転送することが可能である。その場合、ＰＣカードの信号線には、ＴＳ２＿ＣＬＫ、ＴＳ２＿ＰＳＹＮＣ，ＴＳ２＿ＶＡＬＩＤ，ＴＳ２＿Ｄ０〜Ｄ７、ＴＳ２＿ＥＲＲＯＲ、の信号が追加で割り当てられる。
【００５０】
（外部出力１）本発明のバス制御装置では、外部のバスにトランスポートストリームを出力することができる。この方法を図４を用いて説明する。７はバススイッチ、４１は外部バス信号である。
【００５１】
外部バスとしては一例としてＩＥＥＥ１３９４などを利用することができる。通常の使用時にはＰＣカードの出力はトランスポートストリーム信号に接続されている。
【００５２】
バスの切り換え操作は、ユーザーが出力先として外部バスを選択することで発生する。このとき、ＣＰＵは切り換え信号を制御信号１５を通してバススイッチ７に送り、バススイッチ７は切り換え信号を受信したら、映像、音声のデータバスの接続を外部バスに切り換える。
【００５３】
この切り換え操作を実行した場合、ＣＰＵからの制御用Ｉ２Ｃバスは接続されたままにすることができる。そのため、チューナの制御を引き続き行うことができる。このような制御は常にユーザーからの指示ではなく、例えば番組の録画を予約していた場合などにも利用することができる。
【００５４】
この時には、トランスポートデコーダ以降の回路に電源を供給する必要がなくなるので、消費電力を低減させることができるといった効果が期待できる。
【００５５】
また、切り換えの他の例として、外部バスに接続したときに、映像、音声のデータを引き続きトランスポートストリーム信号に出力し続けることも可能とする。この場合、カード型チューナからの映像を確認した上で外部バスに出力することができる。
【００５６】
（外部出力２）ＰＣカードからの映像、音声の出力が複数存在した場合には、それぞれの出力を自由に外部バス、トランスポートストリーム信号に割り当てることができる。
【００５７】
図５は実施の一例を示したものであり、ＰＣカードからの出力１が外部バスに、出力２がトランスポートストリーム信号に接続されている。また、図５に示すように出力１をトランスポートストリーム信号に、出力２を外部バスに接続することも可能である。
【００５８】
ＰＣカードからの出力がさらに増えた場合には、各出力とバスとの接続はユーザーが自由に選択でき、出力の組み合わせは自由である。
【００５９】
（複数チューナカードの入力の選択１）次に、本体がＰＣカードを接続する為のスロットを複数備えていた場合の動作について説明する。
【００６０】
図６は実施の一例を示したものであり、ＰＣカードのスロットを３つ備えている場合である。６１のカードコネクタ２と、６２のカードコネクタ３、の２つのカードスロットが追加されており、それぞれに、６３のチューナカード２と６４のチューナカード３が挿入されている。
【００６１】
この場合の７のバススイッチは、ＰＣカード側のそれぞれの信号のいずれか一つを選択する６５のＰＣカード側スイッチ、同時に、ＰＣカード信号と、トランスポートストリーム信号のいずれか一つを選択する６６のＣＰＵ側スイッチの２つのスイッチを備え、選択した信号を接続する。
【００６２】
図６に示す接続状態においては、ＰＣカード側は、チューナカード２を選択し、一方は、トランスポートストリーム側を選択し、接続した状態を示す。Ｉ２Ｃバスも同時に接続される。この状態では、チューナカード２のトランスポート出力がデコーダに入力される。
【００６３】
チューナカード３を使用する場合には、バススイッチのＰＣカード側スイッチを６２のカードコネクタ３側に切り替える。チューナカード３がＴＳモードになっていない場合には、６６のＣＰＵ側スイッチを一旦ＰＣカード信号側に切り替え、チューナカードをＴＳモードに設定してから、ＣＰＵ側スイッチをトランスポートストリーム信号側に切り替える動作が必要である。
【００６４】
（複数チューナカードの入力の選択２）次に、チューナカードとその他の例えばＩＣカードを混在して使用可能にする方法について説明する。
【００６５】
図７は実施の一例を示したものであり、ＰＣカードのスロットを３つ備えている場合である。４のカードコネクタ、６１のカードコネクタ２と、６２のカードコネクタ３、には、それぞれに、３のチューナカード、２のＩＣカード、６４のチューナカード３が、それぞれ挿入されている。
【００６６】
この場合の７のバススイッチは、ＰＣカード側の信号を、カードコネクタ、カードコネクタ２、カードコネクタ３の、いずれか一つを選択して接続する為の７２のＰＣカード側スイッチ、１４のトランスポートストリーム信号と１６のＩ２Ｃバス信号を、ＰＣカード側の信号を、カードコネクタ、カードコネクタ２、カードコネクタ３の、いずれか一つを選択して接続する為の７１のＴＳ側スイッチの２つのスイッチより構成される。
【００６７】
図７に示す接続状態においては、２のＩＣカードが１３のＰＣカード信号と接続され、ＩＣカードとして動作しており。チューナカード３は、ＴＳ側に接続されており、チューナカード３のトランスポートストリームの信号は、８のデコーダに入力されている。
【００６８】
チューナカード３を使用する場合には、７１のＴＳ側スイッチを４のカードコネクタ側に切り替えて使用する。３のチューナカードがＴＳモードとなっていなかった場合には、ＴＳ側スイッチの接続を切り離し、７２のＰＣカード側スイッチを一旦４のカードコネクタ側に切り替え、ＴＳモードに設定。ＰＣカード側スイッチをカードコネクタ２側に戻し、７１のＴＳ側スイッチをカードコネクタ側に接続してから使用する。
【００６９】
以後は、チューナカードのトランスポートストリームが、８のデコーダに入力される。
【００７０】
【発明の効果】
ＺＶポートにおいては、バスがＹＵＶ形式のビデオコントローラの入力形式である為、ＰＣカードからのトランスポート形式の信号を処理するシステムではなかった。
【００７１】
本発明によれば、トランスポートストリームデータを出力するチューナカードを、ＰＣＭＣＩＡコントローラや、システムバスを介さず、直接ＭＰＥＧデコーダに入力するので、データを効率良く転送することが出来る。
【００７２】
ＺＶポートにおいては、ＰＣカードからのビデオ信号は、ＰＣＭＣＩＡコントローラを通じて信号が入力される。本発明では、ＰＣカードの信号が直接トランスポートデコーダに入力されており、ＰＣＭＣＩＡコントローラが無くても動作が可能である。ＰＣカードがチューナカードに限定されている場合には、ＰＣカードをＰＣＭＣＩＡとして動作させる必要が無いので、ＰＣＭＣＩＡコントローラの機能を削除することが出来る。
【００７３】
又、チューナカードを制御する際のＩ２Ｃバスも、ＺＶポートでは、Ｉ２Ｃバスでの直接の制御が出来ず、ＰＣカードコントローラ経由で、ＰＣＭＣＩＡバスを通じて制御する必要がある。その場合、ＰＣカード内では、ＰＣＭＣＩＡのバスによるアクセスをＩ２Ｃバスに変換するバス変換の機能が必要となる。本発明では、ＣＰＵから直接チューナカードの復調ＩＣに接続されるので、余分な回路を必要とせず、チューナカードを制御することが出来る。
【００７４】
チューナカードが２つのトランスポートの出力を備えており、本体も２つのトランスポートを処理出来る場合にも、同様にして、バスを切り替えて接続することにより、同時に２つのトランスポートを転送することが出来る。
【００７５】
又、チューナカードからのトランスポート信号を本体より外部への信号として出力することが可能である。外部への信号としてＩＥＥＥ１３９４として出力することにより、外部の機器へ、チューナカードのトランスポート信号を出力することが可能である。
【００７６】
チューナカードが２つのトランスポートの出力を備えていた場合、一つの出力は、本体のデコーダに入力しておき、もう一方を外部へ出力することも可能であり、視聴している番組とは違う番組を外部の機器で録画するといった使用が出来る。
ＰＣカードスロットを複数スロット備え、複数のチューナカード、ＩＣカードを混在して挿入して、使用することが出来る。その場合に、あるチューナカードを使用していた場合でも、他のＩＣカードを使用することが出来る。
【図面の簡単な説明】
【図１】本発明の一実施形態に係るバス切り替え方法の構成を示すブロック図である。
【図２】ＩＣカードを挿入した場合の例を示すブロック図である。
【図３】チューナカードを挿入した場合の例を示すブロック図である。
【図４】外部バスを有するバススイッチにおいて外部バスに接続した場合の例を示すブロック図である。
【図５】複数のトランスポートストリーム信号出力を備えたカードを挿入した場合の例を示すブロック図。
【図６】複数のカードコネクタを有する場合のバス切り替えの方法を示すブロック図。
【図７】複数のカードコネクタを有する場合のバス切り替えの方法を示すブロック図。
【図８】システムバスのデータの転送を示すタイミング図。
【図９】ＴＳバスのデータの転送を示すタイミング図。
【符号の説明】
１…装置本体、２…ＩＣカード、３…チューナカード、４…カードコネクタ、
５…ＣＰＵ、６…ＰＣカードコントローラ、７…バススイッチ、
８…トランスポートデコーダ、９…ＲＯＭ、１０…ＲＡＭ、
１１…カードの信号線、１２…システムバス、１３…ＰＣカード信号線、
１４…トランスポートストリーム信号、１５…制御信号、１６…Ｉ２Ｃバス
４１…外部バス、４２…外部出力端子、
６１…カードコネクタ２、６２…カードコネクタ３、６３…チューナカード２、６４…チューナカード３、
６５…ＰＣカード側スイッチ、６６…ＣＰＵ側スイッチ、
７１…ＴＳ側スイッチ、７２…ＰＣカード側スイッチ
【図１】
0003733064.tif 000002
【図２】
0003733064.tif 000003
【図３】
0003733064.tif 000004
【図４】
0003733064.tif 000005
【図５】
0003733064.tif 000006
【図６】
0003733064.tif 000007
【図７】
0003733064.tif 000008
【図８】
0003733064.tif 000009
【図９】
0003733064.tif 000010